(57)【要約】      （修正有）【課題】組立の剛性が最適化されず、コンテナを積層することが困難であるため、コンテナが積層され得るようにする。【解決手段】物質の輸送および／または貯蔵のための積層可能なパレットコンテナ１に関し、タップに合わせられ、キャップにより閉鎖される充填開口部を有する内部平行六面体状の内部パウチ２０と、コンテナ１を補強するために内部パウチ２０を囲み、各交差地点３４でともに溶接される垂直バー３２および水平バー３３からなるワイヤメッシュ形状の周辺保護ケージ３０と、内部パウチ２０が配置されるパレット１０と、コンテナ１を強化するために周辺保護ケージ３０の側面３５をその上部で連結する補強フレーム４０とを備え、補強フレーム４０が、同じ平面に配列され、固定ブラケット５０によりケージ３０の二つの隣接した側面に除去可能、かつ斜めに連結される少なくとも四つの独立した剛性バー４１を有する。【選択図】図１
2017013898.tif 000002
【特許請求の範囲】
【請求項１】
有害物質、化学物質、食料品または粉末固体の輸送および／または貯蔵のための積層可能なパレットコンテナであって、
下部でタップに合わせられ、上部でキャップにより閉鎖される充填開口部を有する内部平行六面体状の高密度ポリエチレンパウチである内部パウチと、
補強するために該内部パウチを囲み、各交差地点でともに溶接される垂直バーおよび水平バーからなるワイヤメッシュ形状の周辺保護ケージと、
前記内部パウチが配置される木、プラスチック材料または金属で製造される下部パレットと、
前記周辺保護ケージの側面をその上部で連結する補強フレームとを備え、
該補強フレームが、同じ平面に配列され、固定ブラケットにより前記周辺保護ケージの二つの隣接した前記側面に除去可能、かつ斜めに連結される少なくとも四つの独立した剛性バーを有する積層可能なパレットコンテナ。
【請求項２】
前記補強フレームの各前記剛性バーが、前記周辺保護ケージの前記側面に垂直に連結される端部を有する折り曲げ部と、該折り曲げ部間を真っ直ぐ延びる主要中央部とをそれぞれ有する請求項１に記載の積層可能なパレットコンテナ。
【請求項３】
各前記固定ブラケットが、各前記剛性バーの前記端部に溶接され、前記周辺保護ケージのメッシュの上端エッジを跨ぐ一般的な逆Ｕ字型形状を有しており、前記周辺保護ケージの外部に取り付けられる第１部分と、前記剛性バーに連結される第２部分とを備える請求項１または請求項２に記載の積層可能なパレットコンテナ。
【請求項４】
各前記固定ブラケットの第１部分および第２部分が、前記周辺保護ケージに前記剛性バーを強固に維持するために、クランプジョーをともに形成するように設計される少なくとも一つのねじにより連結される請求項３に記載の積層可能なパレットコンテナ。
【請求項５】
前記内部パウチの上部に、前記補強フレームが収容される凹部を有する請求項１から請求項４のいずれかに記載の積層可能なパレットコンテナ。
【請求項６】
前記凹部が、前記補強フレームが前記内部パウチの上部を越えない、または同じ高さになる深さである請求項５に記載の積層可能なパレットコンテナ。
【請求項７】
前記凹部が、前記剛性バーの形状と整合するような曲部と直線部とを有し、前記曲部が前記剛性バーの前記折り曲げ部を受容する請求項５に記載の積層可能なパレットコンテナ。
【発明の詳細な説明】
【技術分野】
【０００１】
本発明は、積層可能なパレットコンテナに関する。
【背景技術】
【０００２】
現在、有害物質、化学物質、食料品または粉末固体の輸送および／または貯蔵のための多くのタイプの積層可能なパレットコンテナがある（特許文献１および特許文献２参照。）。
【０００３】
一般的に、このようなパレットコンテナは、タップに合わせられ、キャップにより閉鎖される充填開口部を有する内部パウチと、コンテナを補強するために内部パウチを囲み、各交差地点でともに溶接される垂直バーおよび水平バーからなるワイヤメッシュ形状の周辺保護ケージと、内部パウチが配置される木、プラスチック材料または金属で製造される下部パレットとを備える。
【０００４】
しかしながら、このような解決策は、組立の剛性が最適化されず、コンテナを積層することが困難であるため、不十分である。
【０００５】
このような問題に対する解決策として、前述と類似のコンテナについて説明するが、上部補強構造（積層横材）が特別存在し、コンテナが積層され得るように特に提案される（特許文献３および特許文献４参照。）。
【０００６】
それにかかわらず、このような補強装置は、積層時に良好な荷重分布を可能とするには不十分である。
【先行技術文献】
【特許文献】
【０００７】
【特許文献１】仏国特許出願公開第２７６３０４４号明細書
【特許文献２】仏国特許出願公開第２７２８２３８号明細書
【特許文献３】仏国特許出願公開第２５９６３６０号明細書
【特許文献４】欧州特許出願公開第２６２３４３５号明細書
【発明の概要】
【発明が解決しようとする課題】
【０００８】
したがって、本発明の目的は、製造が簡単であり、安価であり、使用が容易であり、効果面で最適化される解決策により上述の問題を解決することにある。
【課題を解決するための手段】
【０００９】
本発明の一態様は、有害物質、化学物質、食料品または粉末固体の輸送および／または貯蔵のための積層可能なパレットコンテナに関するものであり、下部でタップに合わせられ、上部でキャップにより閉鎖される充填開口部を有する内部平行六面体状の高密度ポリエチレンパウチである内部パウチと、補強するために該内部パウチを囲み、各交差地点でともに溶接される垂直バーおよび水平バーからなるワイヤメッシュ形状の周辺保護ケージと、前記内部パウチが配置される木、プラスチック材料または金属で製造される下部パレットと、前記周辺保護ケージの側面をその上部で連結する補強フレームとを備え、該補強フレームが、同じ平面に配列され、固定ブラケットにより前記周辺保護ケージの二つの隣接した前記側面に除去可能、かつ斜めに連結される少なくとも四つの独立した剛性バーを有する。
【００１０】
好ましい実施例によると、本発明によるコンテナは、以下の特徴のうち少なくとも一つを有する。
前記補強フレームの各前記剛性バーが、前記周辺保護ケージの前記側面に垂直に連結される端部を有する折り曲げ部と、該折り曲げ部間を真っ直ぐ延びる主要中央部とをそれぞれ有する。
各前記固定ブラケットが、各前記剛性バーの前記端部に溶接され、前記周辺保護ケージのメッシュの上端エッジを跨ぐ一般的な逆Ｕ字型形状を有しており、前記周辺保護ケージの外部に取り付けられる第１部分と、前記剛性バーに連結される第２部分とを備える。
各前記固定ブラケットの前記第１部分および第２部分が、前記周辺保護ケージに前記剛性バーを強固に維持するために、クランプジョーを形成するように設計される少なくとも一つのねじにより連結される。
前記内部パウチの上部に、前記補強フレームが収容される凹部を有する。
前記凹部が、前記補強フレームが前記内部パウチの上部を越えない、または同じ高さになる深さである。
前記凹部が、前記剛性バーの形状と整合するような曲部と直線部とを有し、前記曲部が前記剛性バーの前記折り曲げ部を受容する。
【図面の簡単な説明】
【００１１】
本発明は、以下で単に一例として与えられ、添付の図面に示される特定の実施例を参照してより詳細に説明される。
【図１】内部パウチと周辺保護ケージとを備える本発明の一態様におけるコンテナの斜視図である。
【図２】図１に示されるコンテナの正面図である。
【図３】図１に示されるコンテナの側面図である。
【図４】図１に示されるコンテナ上部の細部事項の上面斜視図である。
【図５】図１に示されるコンテナの上面図である。
【図６】図４の詳細な図である。
【図７】図４の他の詳細な図である。
【図８】内部パウチの正面図である。
【図９】内部パウチの側面図である。
【図１０】内部パウチの上面図である。
【発明を実施するための形態】
【００１２】
図１は有害物質（例えば、酸）、化学物質、食料品または粉末固体の輸送および／または貯蔵のために特別に使用され得る本発明の一実施形態におけるコンテナ１を示す。
【００１３】
このコンテナ１は、下部２１で排水タップ２２に合わせられ、その上部２３でキャップ２４により閉鎖される充填開口部を有する内部平行六面体状の高密度ポリエチレンである内部パウチ２０を配置する下部パレット１０を基本的に備える。
【００１４】
パレット１０は、例えば、プラスチック材料で製造され、ハンドリングトラックのフォークが通過するように交差する様々な開口部１１，１２を有する。
【００１５】
内部パウチ２０は、周辺保護ケージ３０により囲まれてコンテナ１を補強し、周辺保護ケージ３０は、各交差地点３４でともに溶接される垂直バー３２および水平バー３３からなるワイヤメッシュ３１の形状を取り、上端エッジ３６を有する壁３５を形成する。
【００１６】
コンテナ１の上部には、周辺保護ケージ３０の壁３５を連結する鋼鉄チューブで製造される補強フレーム４０があり、コンテナを強化する。
【００１７】
より詳細には、補強フレーム４０が、メッシュ３１に取り付けられる固定ブラケット５０により除去可能な方式で補強周辺ケージ３０に連結される。
【００１８】
特に、図４〜図７に示されるように、補強フレーム４０は、実際、内部パウチ２０の上に同じ平面に配列される四つの独立した剛性バー４１を有し、該剛性バー４１は、例えば、正方形部分を有し、鋼鉄で製造される。各剛性バー４１は、周辺保護ケージ３０の二つの隣接した側面３５に斜めに連結される。
【００１９】
より詳細には、各剛性バー４１は、周辺保護ケージ３０の側面３５に垂直に連結される端部４３ａを有する折り曲げ部４３と、実質的にＳ形状の該折り曲げ部４３間を真っ直ぐに延びる主要中央部分４２とを備える。
【００２０】
図６および図７に示されるように、例えば、各固定ブラケット５０は、メッシュ３１の上端エッジ３６を跨ぐ一般的な逆Ｕ字型形状を有しており、周辺保護ケージ３０の外部に取り付けられる第１部分５１と、溶接により剛性バー４１の端部４３ａに連結される第２部分５２とを備える。
【００２１】
また、各固定ブラケット５０の第１および第２部分５１，５２は、周辺保護ケージ３０に補強フレーム４０の各剛性バー４１を強固に維持するために、両部分５１，５２がクランプジョーをともに形成するように少なくとも一つのねじ５５の補助によりともに連結される。
【００２２】
図８〜図１０に示されるように、内部パウチ２０は、補強フレーム４０が収容される凹部２６を上部２３に有する。
【００２３】
より詳細には、凹部２６は、補強フレーム４０の各剛性バー４１が内部パウチ２０の上部２３を越えない、または同じ高さになる深さである。
【００２４】
好ましくは、凹部２６は、剛性バー４１の形状と整合し、整合するために少なくとも一つの曲部２８と直線部２７とを有し、曲部２３が剛性バー４１の折り曲げ部４３を受容する。
【００２５】
このように製造されるコンテナ１は、衝撃に耐えることができ、積層可能な良好な剛性を有する。また、除去可能な補強フレーム４０は、必要に応じて、内部パウチ２０から取り外し、それを交替または補修することを可能とする。
【００２６】
明らかに、単に一例として与えられる本発明の発明対象の詳細な説明は、決して構成を限定せず、一般的な技術はまた本発明の範囲に含まれる。
【００２７】
したがって、パレット１０は、木またはプラスチック材料で製造され得る。
【符号の説明】
【００２８】
１  パレットコンテナ
１０  下部パレット
２０  内部パウチ
２３  上部
２６  凹部
２７  直線部
２８  曲部
３０  周辺保護ケージ
３１  メッシュ
３２  垂直バー
３３  水平バー
３４  交差地点
３５  側面
３６  エッジ
４０  補強フレーム
４１  剛性バー
４２  主要中央部
４３  折り曲げ部
４３ａ  端部
５０  固定ブラケット
５１  第１部分
５２  第２部分
５５  ねじ
【図１】
2017013898.tif 000003
【図２】
2017013898.tif 000004
【図３】
2017013898.tif 000005
【図４】
2017013898.tif 000006
【図５】
2017013898.tif 000007
【図６】
2017013898.tif 000008
【図７】
2017013898.tif 000009
【図８】
2017013898.tif 000010
【図９】
2017013898.tif 000011
【図１０】
2017013898.tif 000012
【外国語明細書】
2017013898000001.pdf